【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
接続されたコンテンツ提供装置からコンテンツを取得する情報処理装置であって、
前記コンテンツ提供装置から、前記コンテンツ提供装置が保持しているコンテンツの識別情報のリストを取得する第一の取得手段と、
前記コンテンツ提供装置から、前記コンテンツ提供装置が保持しているコンテンツへのアクセスの制限に関する制限情報を取得する第二の取得手段と、
前記第二の取得手段により取得された前記制限情報に基づいて、前記コンテンツの識別情報のリストから、アクセス可能に設定されているコンテンツの識別情報を特定する特定手段と、
前記特定手段により特定された識別情報を、前記コンテンツを指定するユーザ操作を受け付けるための第一のプログラムへ提供する提供手段と、を備え、
前記特定手段は、前記第一のプログラムとは異なる第二のプログラムを用いて前記アクセス可能なコンテンツの識別情報を特定することを特徴とする情報処理装置。
【請求項２】
前記提供手段は、前記特定手段により特定された識別情報を、前記第二のプログラムを用いて、前記第一のプログラムへ提供することを特徴とする請求項１に記載の情報処理装置。
【請求項３】
前記第一の取得手段によるリストの取得は、ユーザ操作により指示されることを特徴とする請求項１または２に記載の情報処理装置。
【請求項４】
前記第一のプログラムを用いてユーザからコンテンツ一覧のリスト表示の指示を受け付けたことに応じて、前記第二のプログラムが呼び出され、
前記第一のプログラムを用いてユーザからコンテンツ一覧のリスト表示の指示を受け付けたことに応じて、前記第一の取得手段は、前記第二のプログラムを用いて、前記コンテンツ提供装置が保持しているコンテンツの識別情報のリストを取得することを特徴とする請求項１乃至３のいずれか１項に記載の情報処理装置。
【請求項５】
前記第一の取得手段による識別情報のリストの取得と、前記第二の取得手段による前記制限情報の取得と、前記特定手段によるアクセス可能なコンテンツの識別情報の特定と、前記提供手段による識別情報の提供は、前記第一のプログラムを用いてユーザからコンテンツ一覧のリスト表示の指示を受け付けたことに応じて、前記第二のプログラムを用いて自動的に実行されることを特徴とする請求項１乃至４のいずれか１項に記載の情報処理装置。
【請求項６】
前記提供手段により前記第一のプログラムに提供された識別情報のうち、ユーザ操作により指定された識別情報に対応するコンテンツを、前記コンテンツ提供装置から取得する第３の取得手段をさらに有することを特徴とする請求項１乃至５のいずれか１項に記載の情報処理装置。
【請求項７】
前記第３の取得手段により取得されたコンテンツを、前記第一のプログラムを用いて、表示部に表示するよう制御する表示制御手段をさらに有することを特徴とする請求項６に記載の情報処理装置。
【請求項８】
前記情報処理装置は、前記第二のプログラムを用いた通信において、所定のプロトコルのベンダユニークコマンドを用いてコンテンツ提供装置と通信することを特徴とする請求項１乃至７のいずれか１項に記載の情報処理装置。
【請求項９】
前記特定手段により特定された識別情報を含む前記第一のプログラムのためのリストを生成する生成手段をさらに有する請求項１乃至８のいずれか１項に記載の情報処理装置。
【請求項１０】
前記第一のプログラムの起動に伴い前記第二のプログラムも起動されることを特徴とする請求項１乃至９のいずれか１項に記載の情報処理装置。
【請求項１１】
前記制限情報は、前記情報処理装置の識別情報に対応付けて前記コンテンツ提供装置に登録されている情報であることを特徴とする請求項１乃至１０のいずれか１項に記載の情報処理装置。
【請求項１２】
前記制限情報は日時情報またはレーティング情報を含むことを特徴とする請求項１乃至１１のいずれか１項に記載の情報処理装置。
【請求項１３】
前記コンテンツは画像ファイルであることを特徴とする請求項１乃至１２のいずれか１項に記載の情報処理装置。
【請求項１４】
接続されたコンテンツ提供装置からコンテンツを取得する情報処理装置の制御方法であって、
前記コンテンツ提供装置から、前記コンテンツ提供装置が保持しているコンテンツの識別情報のリストを取得する第一の取得工程と、
前記コンテンツ提供装置から、前記コンテンツ提供装置が保持しているコンテンツへのアクセスの制限に関する制限情報を取得する第二の取得工程と、
前記第二の取得工程で取得された前記制限情報に基づいて、前記コンテンツの識別情報のリストから、アクセス可能に設定されているコンテンツの識別情報を特定する特定工程と、
前記特定工程により特定された識別情報を、前記コンテンツを指定するユーザ操作を受け付けるための第一のプログラムへ提供する提供工程と、を備え、
前記特定工程では、前記第一のプログラムとは異なる第二のプログラムを用いて前記アクセス可能なコンテンツの識別情報を特定することを特徴とする情報処理装置の制御方法。
【請求項１５】
接続されたコンテンツ提供装置から取得するコンテンツを指定するユーザ操作を受け付けるための第一のプログラムをインストール可能な情報処理装置に、以下の制御方法を実行させるための、前記第一のプログラムとは異なる第二のプログラムであって、
前記制御方法は、
前記コンテンツ提供装置から、前記コンテンツ提供装置が保持しているコンテンツの識別情報のリストを取得する第一の取得工程と、
前記コンテンツ提供装置から、前記コンテンツ提供装置が保持しているコンテンツへのアクセスの制限に関する制限情報を取得する第二の取得工程と、
前記第二の取得工程で取得された前記制限情報に基づいて、前記コンテンツの識別情報のリストから、アクセス可能に設定されているコンテンツの識別情報を特定する特定工程と、
前記特定工程により特定された識別情報を、前記第一のプログラムへ提供する提供工程と、を有することを特徴とするプログラム。
【請求項１６】
前記第二のプログラムは、前記第一のプログラムを用いてユーザからコンテンツ一覧のリスト表示の指示を受け付けたことに応じて呼び出されることを特徴とする請求項１５に記載のプログラム。
【請求項１７】
前記制御方法は、
前記提供工程で前記第一のプログラムに提供された識別情報のうち、ユーザ操作により指定された識別情報に対応するコンテンツを、前記コンテンツ提供装置から取得する第３の取得工程をさらに有することを特徴とする請求項１５または１６に記載のプログラム。
【請求項１８】
前記第二のプログラムを用いた前記コンテンツ提供装置との通信では、所定のプロトコルのベンダユニークコマンドが用いられることを特徴とする請求項１５乃至１７のいずれか１項に記載のプログラム。
【請求項１９】
前記制御方法は、
前記特定工程で特定された識別情報を含む前記第一のプログラムのためのリストを生成する生成工程をさらに有することを特徴とする請求項１５乃至１８のいずれか１項に記載のプログラム。
【請求項２０】
前記第二のプログラムは、前記第一のプログラムの起動に伴い起動されることを特徴とする請求項１５乃至１９のいずれか１項に記載のプログラム。
【請求項２１】
前記制限情報は、前記情報処理装置の識別情報に対応付けて前記コンテンツ提供装置に登録されている情報であることを特徴とする請求項１５乃至２０のいずれか１項に記載のプログラム。
【請求項２２】
前記制限情報は日時情報またはレーティング情報を含むことを特徴とする請求項１５乃至２１のいずれか１項に記載のプログラム。
【手続補正２】
【補正対象書類名】明細書
【補正対象項目名】発明の名称
【補正方法】変更
【補正の内容】
【発明の名称】情報処理装置およびその制御方法、プログラム
【手続補正３】
【補正対象書類名】明細書
【補正対象項目名】０００１
【補正方法】変更
【補正の内容】
【０００１】
本発明は、外部より画像の提供を受ける情報処理装置およびその制御方法、プログラムに関する。
【手続補正４】
【補正対象書類名】明細書
【補正対象項目名】０００７
【補正方法】変更
【補正の内容】
【０００７】
上記の目的を達成するための本発明の一態様による画像転送システムは以下の構成を備える。すなわち、
接続されたコンテンツ提供装置からコンテンツを取得する情報処理装置であって、
前記コンテンツ提供装置から、前記コンテンツ提供装置が保持しているコンテンツの識別情報のリストを取得する第一の取得手段と、
前記コンテンツ提供装置から、前記コンテンツ提供装置が保持しているコンテンツへのアクセスの制限に関する制限情報を取得する第二の取得手段と、
前記第二の取得手段により取得された前記制限情報に基づいて、前記コンテンツの識別情報のリストから、アクセス可能に設定されているコンテンツの識別情報を特定する特定手段と、
前記特定手段により特定された識別情報を、前記コンテンツを指定するユーザ操作を受け付けるための第一のプログラムへ提供する提供手段と、を備え、
前記特定手段は、前記第一のプログラムとは異なる第二のプログラムを用いて前記アクセス可能なコンテンツの識別情報を特定する。